(57)【要約】【課題】洗い場床パンに形成された稜線に跨って汎用タイルを貼着し、複数種の傾斜面上に位置させても、当該タイルにがたつきが生じたり、隣り合うタイル同士間に段差が生じることを抑制することが可能な洗い場床を提供する。【解決手段】水勾配方向が異なる複数の傾斜面１２〜１４を有し、傾斜面１２〜１４同士の境界部分に谷状の稜線１５が形成された洗い場床パン１０の上面に、複数枚のタイル４０が貼着されてなる洗い場床１であり、弾性を有すると共に、タイル４０と洗い場床パン１０との間に配設され、タイル４０を支持するライナ部材２０と、タイル４０と洗い場床パン１０との間であり且つライナ部材２０が配設された領域とは異なる領域に配設され、タイル４０を洗い場床パン１０に貼着する接着剤層３０を有してなる。【選択図】図１
2011074616.tif 000002
【特許請求の範囲】
【請求項１】
水勾配方向が異なる複数の傾斜面を有し、当該傾斜面同士の境界部分に谷状の稜線が形成された洗い場床パンの上面に、複数枚のタイルが貼着されてなる洗い場床であって、
弾性を有すると共に、前記タイルと前記洗い場床パンとの間に配設され、当該タイルを支持するライナ部材と、
前記タイルと前記洗い場床パンとの間であり且つ前記ライナ部材が配設された領域とは異なる領域に配設され、当該タイルを当該洗い場床パンに貼着する接着剤層と、
を有してなる洗い場床。
【請求項２】
前記各々のタイルは、互いに間隔をおいて配設された複数の前記ライナ部材によって支持されてなる請求項１記載の洗い場床。
【請求項３】
前記ライナ部材は、隣り合う複数のタイルを共に支持する請求項１または請求項２記載の洗い場床。
【請求項４】
前記稜線に跨って貼着されたタイルを支持するライナ部材は、当該稜線に近い位置に配設されているライナ部材の高さの方が、遠い位置に配設されているライナ部材の高さよりも高く形成されてなる請求項２または請求項３記載の洗い場床。
【請求項５】
前記稜線に跨らずに貼着された各々のタイルは、前記稜線に跨って貼着されたタイルに向かって傾斜されてなり、当該傾斜は、前記洗い場床パンの水勾配方向に略一致する請求項１ないし請求項４のいずれか一項に記載の洗い場床。
【発明の詳細な説明】
【技術分野】
【０００１】
本発明は、浴室の洗い場床に関する。
【背景技術】
【０００２】
従来、出入口に段差のないバリアフリータイプのユニットバスでは、水勾配の方向が異なる複数の傾斜面を有する洗い場床パンが用いられている。この複数の傾斜面を有する洗い場床パンは、傾斜面同士の境界部分に谷状の稜線が存在するため、この洗い場床パンの上にタイルが貼着される洗い場床では、当該稜線に跨って貼着されたタイルは、複数種の傾斜面上に位置することになり、がたつきが生じたり、隣り合うタイル同士間に段差が生じることが知られている。そこで、上述したような稜線が形成されていない専用の洗い場床パンを別途用意して、タイルをがたつきなく貼れるようにすることが考えられるが、コストの観点から洗い場床パンは、タイルを貼着しないものと共用できることが好ましい。そこで、稜線が形成されたバリアフリータイプの洗い場床パンを用いて前記タイルのがたつきや、タイル同士間に生じる段差を無くすため、洗い場床パンにタイルを貼着する際に使用する接着剤の塗布量（塗布厚）を調整することが考えられるが、これは作業者の技能に依存する面が多く、実際には、安定した品質の洗い場床を提供することが困難である。
【０００３】
また、前記稜線上に貼着されるタイルの裏面を、当該稜線の形状に対応する形状にすることで、当該稜線に跨って貼着されるタイルのがたつきを抑制する洗い場床も紹介されている。（例えば、特許文献１参照）。
【先行技術文献】
【特許文献】
【０００４】
【特許文献１】特開２００５−１１３５９１号公報
【発明の概要】
【発明が解決しようとする課題】
【０００５】
しかしながら、特許文献１に記載されている洗い場床は、裏面を前記稜線に対応した形状に加工した特殊形状のタイルを使用する必要があり、一般的に使用されている汎用タイルを使用することができない。一般的に、タイルは、比較的、高価なものであり、特許文献１に記載されている洗い場床のように特殊形状のタイルを使用すると、コストが大幅に増加することが懸念される。
【０００６】
本発明は、このような事情に鑑みなされたものであり、洗い場床パンに形成された稜線に跨って汎用タイルを貼着し、複数種の傾斜面上に位置させても、当該タイルにがたつきが生じたり、隣り合うタイル同士間に段差が生じることを抑制することが可能な洗い場床を提供することを目的とする。
【課題を解決するための手段】
【０００７】
この目的を達成するため本発明は、水勾配方向が異なる複数の傾斜面を有し、当該傾斜面同士の境界部分に谷状の稜線が形成された洗い場床パンの上面に、複数枚のタイルが貼着されてなる洗い場床であって、弾性を有すると共に、前記タイルと前記洗い場床パンとの間に配設され、当該タイルを支持するライナ部材と、前記タイルと前記洗い場床パンとの間であり且つ前記ライナ部材が配設された領域とは異なる領域に配設され、当該タイルを当該洗い場床パンに貼着する接着剤層とを有してなる洗い場床を提供するものである。
【０００８】
この構成を備えた洗い場床は、弾性を有するライナ部材によって支持されたタイルを、当該ライナ部材が配設された領域とは異なる領域に配設された接着剤層によって、前記洗い場床パンの上面に貼着する構成を有しているため、前記タイルを稜線に跨って貼着し、複数種の傾斜面上に位置させても、当該傾斜面同士の高さの差や、隣り合うタイル同士間に生じる段差を前記ライナ部材で吸収させることができる。具体的には、このライナ部材は、その上面に載置されたタイルが適切な高さ及び傾斜角度で貼着されるように、当該タイルを上から押圧することで、当該押圧力に応じて弾性変形し、この弾性変形によって、前記傾斜面同士の高さの差や、隣り合うタイル同士間に生じる段差を簡単に吸収することができる。また、前記接着剤層は、前記ライナ部材が前記差を吸収している状態のまま、前記タイルを前記洗い場床パンの上面に貼着することができる。したがって、特殊形状のタイルを使用する必要がなく且つ作業者の技能に依存することなく、前記貼着されたタイルにがたつきが生じたり、隣り合うタイル同士間に段差が生じることを簡単に抑制することができる。
【０００９】
また、本発明に係る洗い場床は、互いに間隔をおいて配設された複数の前記ライナ部材によって、前記各々のタイルを支持する構成を備えることができる。この構成により、前記タイルは、前記ライナ部材によって複数箇所が支持されることになるため、当該タイルがより安定すると共に、当該ライナ部材によるタイルの高さ及び傾斜角度の調整をさらに簡単に行うことができる。
【００１０】
そしてまた、本発明に係る洗い場床は、前記ライナ部材を、隣り合う複数のタイルで共有する構成を備えることができる。このように、隣り合うタイルを共通のライナ部材によって支持することで、当該隣り合うタイルの互いに近接した部分の高さを極めて容易に同じにすることができる。したがって、隣り合うタイル同士間に段差が生じることをさらに簡単に抑制することができる。また、複数のタイルで１つのライナ部材を共有するため、ライナ部材の設置数を減らすことができる。
【００１１】
さらにまた、本発明に係る洗い場床は、前記稜線に跨って貼着されたタイルを支持するライナ部材のうち、当該稜線に近い位置に配設されているライナ部材の高さの方が、遠い位置に配設されているライナ部材の高さよりも高い構成を備えることができる。ここで、前記洗い場床パンの上面の高さは、前記稜線に近い方が遠い方に比べ低くなる。したがって、前記洗い場床パンの上面の高さが低い位置に配設されるライナ部材の高さを、当該洗い場床パンの上面の高さが高い位置に配設されるライナ部材の高さよりも高くすることで、当該両ライナ部材の上面の高さの差を小さくすることができる。したがって、前記ライナ部材によって吸収すべき前記傾斜面同士の高さの差や、隣り合うタイル同士間に生じる段差を、極力小さくすることができるため、タイルのがたつきや、隣り合うタイル同士間の段差をさらに簡単に抑制することができる。
【００１２】
また、本発明に係る洗い場床は、前記稜線に跨らずに貼着された各々のタイルが、前記稜線に跨って貼着されたタイルに向かって傾斜し、当該傾斜が前記洗い場床パンの水勾配方向に略一致するよう構成することができる。このように構成することで、前記タイル上面の勾配を、前記洗い場床パンの上面の水勾配方向に沿って形成することができるため、接着剤層の厚さを必要最低限に抑えることができる。したがって、前記利点に加え、接着剤層の硬化時間を短縮することができるため、前記タイルを短時間で貼着することができる。
【発明の効果】
【００１３】
本発明によれば、洗い場床パンに形成された稜線に跨ってタイルを貼着し、当該タイルを複数種の傾斜面上に位置させても、特殊形状のタイルを使用する必要がなく且つ作業者の技能に依存することなく、当該タイルにがたつきが生じたり、隣り合うタイル同士間に段差が生じることを抑制することが可能な洗い場床を提供することができる。
【図面の簡単な説明】
【００１４】
【図１】図１は、本発明の実施形態に係るユニットバスの主要部分を示す平面図である。
【図２】図２は、図１に示すII−II線に沿った断面図である。
【図３】図３は、図１に示すユニットバスの洗い場床及び当該洗い場床に貼着されたタイルを模式的に示す平面図である。
【図４】図４は、図３に示すIV−IV線に沿った断面図である。
【図５】図５は、図３に示すＶ−Ｖ線に沿った断面図である。
【図６】図６は、図３に示す洗い場床の稜線上に跨って配置されたタイルを模式的に示す斜視図である。
【図７】図７は、図３に示す洗い場床の稜線上に跨って従来の方法で配置されたタイルを模式的に示す斜視図である。
【発明を実施するための形態】
【００１５】
次に、本発明の実施形態に係る洗い場床について図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００１６】
図１は、本発明の実施形態に係るユニットバスの主要部分を示す平面図、図２は、図１に示すII−II線に沿った断面図、図３は、図１に示すユニットバスの洗い場床及び当該洗い場床に貼着されたタイルを模式的に示す平面図、図４は、図３に示すIV−IV線に沿った断面図、図５は、図３に示すＶ−Ｖ線に沿った断面図、図６は、図３に示す洗い場床の稜線上に跨って配置されたタイルを模式的に示す斜視図である。なお、前記各図では、説明を判り易くするため、各部材の厚さやサイズ、拡大・縮小率等は、実際のものとは一致させずに記載した。
【００１７】
図１に示すユニットバスは、出入口に段差のないバリアフリータイプのユニットバスであり、洗い場床１と浴槽２を備えている。
【００１８】
洗い場床１は、図１〜図６に示すように、洗い場床パン１０と、洗い場床パン１０の上面に配設された複数のライナ部材２０と、洗い場床パン１０の上面であり且つライナ部材２０が配設されていない領域に配設された接着剤層３０と、ライナ部材２０に支持されると共に、接着剤層３０によって洗い場床パン１０の上面に貼着される複数のタイル４０を備えている。
【００１９】
洗い場床パン１０は、平面視で、浴槽２側となる浴槽側縁１０Ａと、浴槽側縁１０Ａと平行に対向する出入口側縁１０Ｂと、浴槽側縁１０Ａの一端と出入口側縁１０Ｂの一端とを繋ぐ一端側縁１０Ｃと、浴槽側縁１０Ａの他端と出入口側縁１０Ｂの他端とを繋ぐと共に、一端側縁１０Ｃと平行に対向する他端側縁１０Ｄによって、略長方形状に形成されており、浴槽側縁１０Ａの着中央部には、排水口１１が設けられている。
【００２０】
洗い場床パン１０は、出入口側縁１０Ｂの両端及び排水口１１を頂点とする略三角形状を有すると共に、出入口側縁１０Ｂから浴槽側縁１０Ａに向けた水勾配を有する第１の傾斜面１２と、一端側縁１０Ｃの両端及び排水口１１を頂点とする略三角形状を有すると共に、一端側縁１０Ｃから他端側縁１０Ｄに向けた水勾配を有する第２の傾斜面１３と、他端側縁１０Ｄの両端及び排水口１１を頂点とする略三角形状を有すると共に、他端側縁１０Ｄから一端側縁１０Ｃに向けた水勾配を有する第３の傾斜面１４を有している。これらの傾斜面１２〜１４は、異なった水勾配を各々有するため、第１の傾斜面１２と第２の傾斜面１３との境界部分、及び第１の傾斜面１２と第３の傾斜面１４との境界部分には、谷状の稜線１５が形成されている。
【００２１】
ここで、前述したように、本発明に係るユニットバスは、バリアフリータイプのユニットバスであり、出入口側縁１０Ｂ、一端側縁１０Ｃ及び他端側縁１０Ｄのどの位置であっても扉を配設できるようにするため、出入口側縁１０Ｂ、一端側縁１０Ｃ及び他端側縁１０Ｄの高さは同一となっている。また、本実施形態では、出入口側縁１０Ｂから排水口１１までの最短距離Ｌ1（図３参照）は、一端側縁１０Ｃから排水口１１までの最短距離Ｌ2（図３参照）よりも長く、他端側縁１０Ｄから排水口１１までの最短距離Ｌ3（図３参照）よりも長くなっており、最短距離Ｌ2と最短距離Ｌ3は、同じ長さとなっている。したがって、傾斜面１２の傾斜角度αは、傾斜面１３の傾斜角度βより小さく、傾斜面１４の傾斜角度γは、傾斜角度βと同じとなっている。このため、稜線１５に跨って貼着されるタイル（図３に符号４０1で示す）は、同一平面上に配置されず、異なった水勾配を有する２つの傾斜面１２及び１３上に配設されるため、タイル４０1の四隅（角部）が各々配設される位置ａ、ｂ、ｃ、ｄの高さは、ａ＞ｂ、ｂ＝ｃ、ｃ＞ｄ、ａ＞ｄとなる。したがって、タイル４０1は、洗い場床パン１０の上面に単純に貼着しただけでは、図７に示すように、がたつきが生じることになる。
【００２２】
また、タイル４０1に隣接し、稜線１５に跨って貼着されるタイル（図３に符号４０2で示す）の四隅が各々配設される位置ｅ、ｆ、ｇ、ｈの高さは、ｆ＞ｅ、ｆ＝ｇ、ｇ＞ｈ、ｅ＞ｈとなる。したがって、タイル４０2もタイル４０1と同様に、洗い場床パン１０の上面に単純に貼着しただけでは、がたつきが生じることになる。さらにまた、位置ｄ＞ｆであるため、洗い場床パン１０の上面にタイル４０1とタイル４０2を単純に貼着しただけでは、両者間に段差が生じてしまうことになる。
【００２３】
ライナ部材２０は、弾性を有すると共に、洗い場床パン１０の上面とタイル４０との間に配設され、タイル４０を洗い場床パン１０の上面に対して支持するものである。なお、本実施形態では、特に図１に示すように、ライナ部材２０は、各々のタイル４０の四隅（角部）に１個ずつ配置され、隣り合う複数のタイル４０がある場合、隣り合うタイル（例えば、図１に符号４０1、４０2、４０3、４０4で示す）の互いに近接する角部を、１個のライナ部材２０により支持している。
【００２４】
このライナ部材２０は、その上面に配置されたタイル４０が、後に詳述する接着剤層３０によって、適切な高さ及び傾斜角度で洗い場床パン１０の上面に貼着されるように、タイル４０を上から押圧することで、図４及び図５に示すように弾性変形し、傾斜面１２及び１３同士、あるいは、傾斜面１２及び１４同士の高さの差や、隣り合うタイル４０1、４０2、４０3、４０4同士間に生じる段差を簡単に吸収することができる。
【００２５】
なお、本実施形態では、稜線１５に跨って貼着されるタイル４０を支持するライナ部材２０については、稜線１５に近い位置に配設されるライナ部材２０（例えば、図３に示す位置ｂに配設されるライナ部材２０）の高さの方が、遠い位置に配設されるライナ部材２０（例えば、図３に示す位置ａに配設されるライナ部材２０）の高さよりも高くなるように構成した。このようにすることで、各々のライナ部材２０の上面の高さの差を小さくすることができるため、ライナ部材２０によって吸収すべき傾斜面同士の高さの差や、隣り合うタイル同士間に生じる段差を、極力小さくすることができる。また、隣り合うタイル４０（例えば、タイル４０1、４０2、４０3、４０4）を共通のライナ部材２０によって支持しているため、隣り合う各々のタイル４０の互いに近接する角部の高さが必然的に同じになる。このため、隣り合うタイル４０同士間に段差が生じることを簡単に抑制することができる。
【００２６】
接着剤層３０は、特に図２、図４及び図５に示すように、洗い場床パン１０の上面とタイル４０との間であって、ライナ部材２０が配設された領域とは異なる領域（即ち、ライナ部材２０が配設されていない領域）に配設されている。この接着剤層３０は、タイル４０が上から押圧され、ライナ部材２０が弾性変形し、傾斜面１２及び１３同士、あるいは、傾斜面１２及び１４同士の高さの差や、隣り合う各々のタイル４０同士間に生じる段差を吸収した際に、この状態を維持して硬化することで、がたつきや段差を生じさせることなく、洗い場床パン１０の上面にタイル４０を貼着する。
【００２７】
タイル４０は、広く一般的に使用されている汎用タイルであり、稜線１５に跨らずに貼着された各々のタイル４０は、稜線１５に跨って貼着されたタイル４０に向かって傾斜するように、ライナ部材２０及び接着剤層３０を介して貼着される。稜線１５に跨らずに貼着された各々のタイル４０の傾斜は、洗い場床パン１０の水勾配方向に略一致している。このため、接着剤層３０の厚さを必要最低限に抑えることができ、接着剤層３０の硬化時間を短縮することができる。なお、タイル４０とタイル４０との間には、図４及び図５に示すように、セメント（目地）５０が充填されている。
【００２８】
なお、本実施形態では、ライナ部材２０によってタイル４０の四隅を支持した場合について説明したが、これに限らず、ライナ部材２０の配設箇所及び配設数は、洗い場床パン１０が有する傾斜面（水勾配）の数や、角度等により適宜決定することができる。
【００２９】
また、本実施形態では、１つのライナ部材２０により、隣り合う複数のタイル４０を共に支持した場合について説明したが、これに限らず、ライナ部材２０は、隣り合う複数のタイル４０で共有しなくてもよい。
【００３０】
そしてまた、本実施形態では、稜線１５に跨って貼着されるタイル４０を支持するライナ部材２０のうち、稜線１５に近い位置に配設されるライナ部材２０の高さの方が、遠い位置に配設されるライナ部材２０の高さよりも高くなすように構成した場合について説明したが、これに限らず、互いに隣り合うタイル４０同士の段差をライナ部材２０の弾性変形によって適切に吸収可能な場合は、ライナ部材２０の高さを同じにしてもよい。
【００３１】
さらにまた、本実施形態では、稜線１５に跨らずに貼着された各々のタイル４０を、稜線１５に跨って貼着されたタイル４０に向かって傾斜するように貼着し、この傾斜が、洗い場床パン１０の水勾配方向に略一致するように構成した場合について説明したが、これに限らず、稜線１５に跨って貼着されたタイル４０の傾斜は、排水等、所望の条件に応じて決定することができる。
【符号の説明】
【００３２】
１…洗い場床、  ２…浴槽、  １０…洗い場床パン、  １２〜１４…傾斜面、  １５…稜線、  ２０…ライナ部材、  ３０…接着剤層
【図１】
2011074616.tif 000003
【図２】
2011074616.tif 000004
【図３】
2011074616.tif 000005
【図４】
2011074616.tif 000006
【図５】
2011074616.tif 000007
【図６】
2011074616.tif 000008
【図７】
2011074616.tif 000009